(57)【要約】【課題】本発明は、小規模なセキュリティシステムを構築可能であり、設置費用を軽減させることができる入退室管理装置を得ることを目的とするものである。【解決手段】テナントエリアには、構内通信網としてのＬＡＮ１が構築されている。ＬＡＮ１には、端末コントローラ２とパーソナルコンピュータ３とが接続されている。端末コントローラ２には、入退室管理情報が登録されている。入退室管理情報には、管理区画への入室許可が利用者の個人識別情報に対応付けて登録されている。また、入退室管理情報には、管理区画への利用者の入室の履歴が記録されている。また、端末コントローラ２は、サーバ２ａを有している。サーバ２ａには、ネットワークアドレスとしてのＵＲＬが設定されている。各パーソナルコンピュータ３は、それぞれブラウザ３ａを有している。【選択図】図１
2007114871.tif 000002
【特許請求の範囲】
【請求項１】
登録された入退室管理情報に基づいて、管理区画に係わる利用者の入退室管理を行うとともに、サーバ機能により、構内通信網を介してブラウザ機能を有するパーソナルコンピュータに対して上記入退室管理情報を配信可能である端末コントローラ
を備えていることを特徴とする入退室管理装置。
【請求項２】
上記サーバ機能には、ネットワークアドレスが設定されており、上記端末コントローラは、上記パーソナルコンピュータから上記ネットワークアドレスに基づいて通信接続されることにより、上記入退室管理情報を配信可能となることを特徴とする請求項１記載の入退室管理装置。
【請求項３】
上記端末コントローラには、利用者の個人識別情報を読み取る読取端末が接続されており、上記端末コントローラは、利用者から読み取った個人識別情報に応じて利用者を認証した上で、上記管理区画に係わる利用者の入退室管理を行うことを特徴とする請求項１又は請求項２に記載の入退室管理装置。
【請求項４】
複数の上記端末コントローラが上記構内通信網に接続されると、複数の上記端末コントローラは、それぞれ上記端末コントローラ間で通信を行うことにより、他の上記端末コントローラの上記ネットワークアドレスをそれぞれ取得し、上記パーソナルコンピュータに上記ネットワークアドレスの一覧を配信可能であることを特徴とする請求項２又は請求項３に記載の入退室管理装置。
【発明の詳細な説明】
【技術分野】
【０００１】
この発明は、管理区画に係わる利用者の入退室管理を行う入退室管理装置に関するものである。
【背景技術】
【０００２】
従来の遠隔監視システムでは、ＷＷＷ（Ｗｏｒｌｄ  Ｗｉｄｅ  Ｗｅｂ）の技術を利用したサーバ機能を有する入退室管理サーバが、管理区画に係わる利用者の入退室管理を行う監視制御端末に接続され、インターネット網に接続されたクライアントＷｅｂ端末に監視制御端末の遠隔監視を可能にさせている（例えば、特許文献１参照）。
【０００３】
【特許文献１】特開２００２−２８１５７３号公報
【発明の開示】
【発明が解決しようとする課題】
【０００４】
近年セキュリティに関する意識の高まりから既存のビルに入退室管理装置を導入するケースが増えてきている。また、テナントビル等の入居者が独自に小規模なセキュリティシステムを低コストで導入したいという要望が増えてきている。
これに対し、上記のような従来の遠隔監視システムでは、システム自体が大規模となっており、システムの要である入退室管理サーバ自体が高価となっていたため、設置費用が高くなっていた。
【０００５】
この発明は、上記のような課題を解決するためになされたものであり、小規模なセキュリティシステムを構築可能であり、設置費用を軽減させることができる入退室管理装置を得ることを目的とする。
【課題を解決するための手段】
【０００６】
この発明に係る入退室管理装置は、登録された入退室管理情報に基づいて、管理区画に係わる利用者の入退室管理を行うとともに、サーバ機能により、構内通信網を介してブラウザ機能を有するパーソナルコンピュータに対して入退室管理情報を配信可能である端末コントローラを備えている。
【発明の効果】
【０００７】
この発明の入退室管理装置は、管理区画に係わる利用者の入退室管理を行う端末コントローラが、構内通信網を介して端末コントローラに入退室管理情報を配信するので、小規模なセキュリティシステムを構築可能であり、設置費用を軽減させることができる。
【発明を実施するための最良の形態】
【０００８】
以下、この発明を実施するための最良の形態について、図面を参照して説明する。
実施の形態１．
図１は、この発明の実施の形態１による入退室管理装置を示すブロック図である。建物のテナントエリアには、利用者の入室を制限する管理区画が設けられている。テナントエリアには、構内通信網としてのＬＡＮ（Ｌｏｃａｌ  Ａｒｅａ  Ｎｅｔｗｏｒｋ）１が構築されている。
【０００９】
ＬＡＮ１には、端末コントローラ２とパーソナルコンピュータ（Ｐｅｒｓｏｎａｌ  Ｃｏｍｐｕｔｅｒ）３とが接続されている。端末コントローラ２には、入退室管理情報が登録されている。入退室管理情報には、管理区画への入室許可が与えられた利用者の個人識別情報が登録されている。また、入退室管理情報には、管理区画への利用者の入室の履歴が記録されている。さらに、端末コントローラ２は、入退室管理情報を他機器に配信するための画面情報（Ｗｅｂ画面情報）を作成する。ここで、端末コントローラ２が作成した画面情報は、例えばＨＴＭＬ（Ｈｙｐｅｒ  Ｔｅｘｔ  Ｍａｒｋｕｐ  Ｌａｎｇｕａｇｅ）形式である。
【００１０】
また、端末コントローラ２は、サーバ（Ｗｅｂサーバ）２ａを有している。サーバ２ａには、ネットワークアドレスとしてのＵＲＬ（Ｕｎｉｆｏｒｍ  Ｒｅｓｏｕｒｃｅ  Ｌｏｃａｔｏｒ）が設定されている。各パーソナルコンピュータ３は、それぞれブラウザ３ａを有している。ブラウザ３ａとは、ＵＲＬに基づいて、Ｗｅｂサーバに通信接続するためのアプリケーションソフトである。そして、サーバ２ａのＵＲＬに基づいて、端末コントローラ２とパーソナルコンピュータ３との通信接続が確立される。従って、端末コントローラ２とパーソナルコンピュータ３とは、ＬＡＮ１を介して、互いに通信可能となる。
【００１１】
また、ブラウザ３ａは、端末コントローラ２が作成した画面情報を閲覧可能である。端末コントローラ２に登録された入退室管理情報は、パーソナルコンピュータ３を操作する管理者によって、変更可能となっている。さらに、端末コントローラ２は、入退室管理情報を変更するための変更情報をパーソナルコンピュータ３から受ける。
【００１２】
また、管理区画の出入口の扉には、電気錠４が設けられている。電気錠４の施錠・解錠は、端末コントローラ２により制御される。さらに、管理区画の扉の近傍には、管理区画外の利用者の個人識別情報を読み取る読取端末５が設けられている。読取端末５は、読み取った利用者の個人識別情報を端末コントローラ２に送る。さらにまた、読取端末５は、磁気カード読取部（図示せず）を有している。磁気カード読取部は、利用者の個人識別情報が格納された磁気カードを読み込み、利用者から個人識別情報を受ける。
【００１３】
端末コントローラ２は、利用者の個人識別情報を受けて利用者を認証する。従って、端末コントローラ２は、利用者を認証した上で、入退室管理情報に基づいて、管理区画への利用者の入室管理を行う。また、端末コントローラ２は、パーソナルコンピュータ３との通信接続が確立され、パーソナルコンピュータ３から解錠指示を受けることによって、電気錠４を一時解錠させる。即ち、端末コントローラ２は、パーソナルコンピュータ３から遠隔操作を受ける。
【００１４】
ここで、端末コントローラ２は、演算処理部（ＣＰＵ）、記憶部（ＲＯＭ、ＲＡＭ及びハードディスク等）及び信号入出力部を有している。端末コントローラ２の記憶部には、サーバ２ａの機能、及び管理区画への利用者の入室管理の機能を実行するためのプログラムが格納されている。パーソナルコンピュータ３は、演算処理部（ＣＰＵ）、記憶部（ＲＯＭ、ＲＡＭ及びハードディスク等）、信号入出力部、表示部（モニタ）及び操作部（キーボード及びポインタ等）を有している。また、パーソナルコンピュータ３の記憶部には、ブラウザ３ａの機能を実行するためのプログラムが格納されている。
【００１５】
次に、動作について説明する。読取端末５が利用者のＩＤカードを読み込むと、端末コントローラ２は、読取端末５から個人識別情報を受ける。そして。端末コントローラ２は、個人識別情報に応じて利用者を認証し、認証結果と入退室管理情報とに基づいて、個人識別情報に対応する利用者の管理区画への入室を許可する。端末コントローラ２が利用者の管理区画への入室を許可すると、端末コントローラ２は、電気錠４を解錠させ、管理区画の扉を開放可能にさせる。また、利用者を認証できなかった場合、端末コントローラ２は、電気錠４の施錠状態を維持させ、利用者の管理区画への入室を拒絶する。
【００１６】
さらに、図２は、図１の端末コントローラ２の入退室管理情報配信時の動作を示すフローチャートである。まず、端末コントローラ２は、パーソナルコンピュータ３との通信接続が確立されるまで待機する（ステップＳＴ１）。パーソナルコンピュータ３との通信接続が確立されると、端末コントローラ２は、パーソナルコンピュータ３に入退室管理情報を配信する（ステップＳＴ２）。そして、端末コントローラ２は、パーソナルコンピュータ３からの変更情報を受信するために所定時間待機する（ステップＳＴ３，４）。パーソナルコンピュータ３から変更情報を受信しなかった場合、及び所定時間が経過した場合、端末コントローラ２は、パーソナルコンピュータ３との通信が確立されるまで待機する（ステップＳＴ１に戻る）。
【００１７】
また、パーソナルコンピュータ３から変更情報を受信した場合、端末コントローラ２は、パーソナルコンピュータ３から受信した変更情報を入退室管理情報に組み込んで、入退室管理情報を更新する（ステップＳＴ５）。そして、端末コントローラ２は、パーソナルコンピュータ３との通信接続が確立されるまで待機する（ステップＳＴ１に戻る）。
【００１８】
上記のような入退室管理装置は、端末コントローラ２がＬＡＮ１を介してパーソナルコンピュータ３に入退室管理情報を配信するので、小規模なセキュリティシステムを構築可能であり、設置費用を軽減させることができる。
【００１９】
また、端末コントローラ２のサーバ２ａによって、ＬＡＮ１に接続されたどのパーソナルコンピュータ３でも、ＵＲＬに基づいて端末コントローラ２との通信接続が可能となっているので、システムの利便性を向上させることができる。
【００２０】
実施の形態２．
図４は、この発明の実施の形態２による入退室管理装置を示すブロック図である。実施の形態１では、テナントフロアに管理区画が１ヶ所のみ設けられていたが、実施の形態２では、３ヶ所の管理区画がテナントエリアに設けられている。これに伴い、実施の形態２では、３台の端末コントローラ２がＬＡＮ１に接続されている。即ち、端末コントローラ２は、管理区画に１：１で対応付けられている。
【００２１】
各端末コントローラ２には、固有の管理ＩＤがそれぞれ付けられている。例えば、各端末コントローラ２の管理ＩＤは、それぞれａ、ｂ又はｃである。また、各端末コントローラ２には、それぞれ異なる入退室管理情報が登録されている。さらに、各端末コントローラ２は、入退室管理情報に基づいて、それぞれ対応する管理区画への利用者の入退室管理を行っている。さらにまた、各端末コントローラ２のサーバ２ａには、それぞれ異なるＵＲＬが設定されている。
【００２２】
また、各端末コントローラ２の信号入出力部は、他の端末コントローラ２を検出するための検出信号（検索コマンド）を送信する。これとともに、各端末コントローラ２の信号入出力部は、他の端末コントローラ２から送信された検出信号を受信する。さらに、各端末コントローラ２の記憶部には、検出信号の送受信の機能に関するプログラムが格納されている。
【００２３】
さらにまた、各端末コントローラ２は、ＬＡＮ１に接続されると、例えば１時間の所定の時間間隔で検出信号をＬＡＮ１に送信する（同報通信）。他の端末コントローラ２は、ＬＡＮ１を介して、発信源の端末コントローラ２（例えば管理ＩＤａ）からの検出信号を受ける。さらに、他の端末コントローラ２（例えば管理ＩＤｂ又はｃ）は、検出信号を受けると、その検出信号に対する応答信号として、自己に設定されたＵＲＬと管理ＩＤとの情報を、発信源の端末コントローラ２（例えば管理ＩＤａ）へと返信する。
【００２４】
検出信号発信源の端末コントローラ２（例えば管理ＩＤａ）は、受信した応答信号に含まれる管理ＩＤとＵＲＬとをそれぞれ対応させて記憶する。さらにまた、端末コントローラ２がパーソナルコンピュータ３から通信接続されると、端末コントローラ２は、各端末コントローラ２に設定されたＵＲＬの一覧であるＵＲＬ一覧情報を、入退室管理情報の画面情報に追加して、パーソナルコンピュータ３に配信する。即ち、複数の端末コントローラ２は、それぞれ端末コントローラ２間で通信を行うことにより、他の端末コントローラ２のＵＲＬをそれぞれ取得し、パーソナルコンピュータ３にＵＲＬ一覧情報を配信可能となる。また、端末コントローラ２は、記憶したＵＲＬ一覧情報に基づいて、配信用のＵＲＬ一覧情報の画面情報を作成している。作成されたＵＲＬ一覧情報の画面情報には、他の端末コントローラ２の管理ＩＤ、及び管理ＩＤに対応するＵＲＬが含まれている。
【００２５】
ここで、図４は、パーソナルコンピュータ３の表示部により表示されるＵＲＬ一覧情報の画面情報を示す説明図である。パーソナルコンピュータ３側でＵＲＬ一覧情報の画面情報を受信すると、パーソナルコンピュータ３の表示部は、ＵＲＬ一覧情報の画面情報に基づいて、管理ＩＤのみを表示する。パーソナルコンピュータ３を操作する管理者によって管理ＩＤを選択（クリック）されることにより、パーソナルコンピュータ３のブラウザ３ａは、管理ＩＤに対応するＵＲＬに基づいて、通信接続された端末コントローラ２から、他の端末コントローラ２へと通信接続を変更する（例えば管理ＩＤａから管理ＩＤｂへと変更）。他の機器の構成は、実施の形態１と同様である。
【００２６】
次に、動作について説明する。図５は、図３の端末コントローラ２のＬＡＮ１への検出信号送信時の動作を示すフローチャートである。まず、端末コントローラ２は、ＬＡＮ１へと検出信号を送信し（ステップＳＴ１１）、応答信号を受信するために暫時待機し、応答信号を受信したかどうかを確認する（ステップＳＴ１２）。応答信号を受信しなかった場合、端末コントローラ２は、所定時間待機後（ステップＳＴ１３）、同一の動作を繰り返す。
【００２７】
また、応答信号を受信した場合、端末コントローラ２は、応答信号から管理ＩＤとＵＲＬとの情報を取得し、端末コントローラ２内のＵＲＬ一覧情報を更新し（ステップＳＴ１４）、所定時間待機して（ステップＳＴ１３）、同一の動作を繰り返す。
【００２８】
図６は、図３の端末コントローラ２のＬＡＮ１からの検出信号受信時の動作を示すフローチャートである。まず、端末コントローラ２は、ＬＡＮ１から検出信号が受信されるまで待機する（ステップＳＴ１５）。そして、ＬＡＮ１から検出信号が受信されたことを確認すると、端末コントローラ２は、管理ＩＤとＵＲＬとの情報を含めた応答信号を、検出信号の発信源の端末コントローラ２へと送信する（ステップＳＴ１６）。
【００２９】
上記のような入退室管理装置は、複数台の端末コントローラ２が他の端末コントローラ２のＵＲＬを取得し、他の端末コントローラ２を示すＵＲＬ一覧情報をパーソナルコンピュータ３に配信可能となるので、管理効率を向上させることができる。
【００３０】
また、ＬＡＮ１に対して複数台の端末コントローラ２を増設可能なので、セキュリティシステムの拡張性を向上させることができる。
【００３１】
なお、実施の形態２では、ＬＡＮ１に接続された端末コントローラ２の台数が３台であったが、３台に限定するものではなく、構内通信網に接続する端末コントローラの台数は何台でもよい。
【００３２】
また、実施の形態１，２では、端末コントローラ２が管理区画への利用者の入室管理を行っていたが、端末コントローラ２が管理区画からの利用者の退室の管理を行ってもよい。
【００３３】
さらに、実施の形態１，２では、入退室管理情報及びＵＲＬ一覧情報の画面情報がＨＴＭＬ形式で端末コントローラ２に登録されていたが、ＨＴＭＬ形式に限るものではなく、端末コントローラとパーソナルコンピュータとの通信接続に対応し、パーソナルコンピュータ側で閲覧可能なデータの形式であればよい。
【００３４】
さらにまた、実施の形態１，２では、個人識別情報の読取に、利用者の個人識別情報を格納させた磁気カードを用いたが、磁気カードに限るものではなく、例えばＩＣカード及び生体情報（指紋、声紋、掌紋、虹彩、顔画像、静脈等）であってもよい。
【００３５】
また、実施の形態１，２では、パーソナルコンピュータ３が端末コントローラ２に対する通信接続をしていたが、パーソナルコンピュータに限るものではなく、ブラウザを有する機器であれば例えばＰＤＡ（Ｐｅｒｓｏｎａｌ  Ｄｉｇｉｔａｌ  Ａｓｓｉｓｔａｎｔ）及び管理用専用端末等が端末コントローラに対する通信接続をしてもよい。
【００３６】
さらに、実施の形態１，２では、ネットワークアドレスがＵＲＬであったが、ＵＲＬに限るものではなく、ネットワーク上の位置が特定できるものであればよく、例えばＩＰ（Ｉｎｔｅｒｎｅｔ  Ｐｒｏｔｏｃｏｌ）アドレス及びＭＡＣ（Ｍｅｄｉａ  Ａｃｃｅｓｓ  Ｃｏｎｔｒｏｌ）アドレス等であってもよい。
【００３７】
さらにまた、パーソナルコンピュータからの通信接続に対して、端末コントローラ側で例えばパスワード認証等によるアクセス制限を設けてもよい。これによって、管理及び通信に係わるセキュリティ性を向上させることができる。
【図面の簡単な説明】
【００３８】
【図１】この発明の実施の形態１による入退室管理装置を示すブロック図である。
【図２】図１の端末コントローラの入退室管理情報配信時の動作を示すフローチャートである。
【図３】この発明の実施の形態２による入退室管理装置を示すブロック図である。
【図４】パーソナルコンピュータの表示部により表示されるＵＲＬ一覧情報の画面情報を示す説明図である。
【図５】図３の端末コントローラのＬＡＮへの検出信号送信時の動作を示すフローチャートである。
【図６】図３の端末コントローラのＬＡＮから検出信号受信時の動作を示すフローチャートである。
【符号の説明】
【００３９】
１  ＬＡＮ（構内通信網）、２  端末コントローラ、２ａ  サーバ、３  パーソナルコンピュータ、３ａ  ブラウザ、４  読取端末。
【図１】
2007114871.tif 000003
【図２】
2007114871.tif 000004
【図３】
2007114871.tif 000005
【図４】
2007114871.tif 000006
【図５】
2007114871.tif 000007
【図６】
2007114871.tif 000008